(57)【要約】      （修正有）【解決手段】栽培台４上に植付け時期の異なる複数の栽培パレット群を栽培台の供給口４ａ側から取出口４ｂ側にわたり植付け時期の新しいものから古いものの順に並べ、各栽培パレット群を栽培台４の供給口４ａ側から取出口４ｂ側へ所定期間ごとに移動させ、栽培台４の取出口４ｂから最古植付け時期の栽培パレット群を取り出すとともに、栽培台４の供給口４ａに最新植付け時期の栽培パレット群を供給する。各栽培パレット群を栽培台４の供給口４ａ側から取出口４ｂ側へ移動させる際に、栽培台４の下側に設けた熱伝導室６で各栽培パレット８に遠赤外線特に波長６〜１４μｍの育成光線と超音波とを放射する。【効果】葉菜類等を一年を通して安定的に供給するとともに葉菜類等の育成を助長することができる。【選択図】図１
2008253224.tif 000002
【特許請求の範囲】
【請求項１】
栽培台上に植付け時期の異なる複数の栽培パレット群を栽培台の供給口側から取出口側にわたり植付け時期の新しいものから古いものの順に並べ、この各栽培パレット群を栽培台の供給口側から取出口側へ所定期間ごとに移動させ、栽培台の取出口から最古植付け時期の栽培パレット群を取り出すとともに、栽培台の供給口に最新植付け時期の栽培パレット群を供給することを特徴とする連続栽培方法。
【請求項２】
前記各栽培パレット群を栽培台の供給口側から取出口側へ移動させる際に、この栽培台の下側に設けた熱伝導室で各栽培パレットに対し熱伝導パイプにより遠赤外線と超音波とを放射することを特徴とする請求項１に記載の連続栽培方法。
【請求項３】
前記遠赤外線は波長６〜１４μｍの育成光線であることを特徴とする請求項２に記載の連続栽培方法。
【請求項４】
前記各栽培パレット群を栽培台の供給口側から取出口側へ移動させる際に、この栽培台の下側に設けた熱伝導室で各栽培パレットに対し熱伝導パイプにより加熱放射または冷却放射することを特徴とする請求項１に記載の連続栽培方法。
【請求項５】
複数の栽培パレット群を載置して供給口側から取出口側に移動させることができる栽培台を栽培ハウス内に備え、この栽培台の下側には熱伝導室で各栽培パレットに遠赤外線と超音波とを放射することができる複数の熱伝導パイプを配設したことを特徴とする連続栽培装置。
【請求項６】
複数の栽培パレット群を載置して供給口側から取出口側に移動させることができる栽培台を栽培ハウス内に備え、この栽培台の下側には熱伝導室で各栽培パレットに加熱放射または冷却放射することができる複数の熱伝導パイプを配設したことを特徴とする連続栽培装置。
【請求項７】
前記各熱伝導パイプは、真空に保たれた状態で作動液を封入したメインパイプ内に、熱が供給されるコアパイプを挿通したものであることを特徴とする請求項５または請求項６に記載の連続栽培装置。
【発明の詳細な説明】
【技術分野】
【０００１】
本発明は、葉菜類等を供給することができる連続栽培方法及び連続栽培装置に関するものである。
【背景技術】
【０００２】
従来、葉菜類等は栽培ハウス内で適宜時期に適宜面積だけ植え付けられて適量ずつ出荷されている。
【発明の開示】
【発明が解決しようとする課題】
【０００３】
そのため、葉菜類等を一年を通して安定的に供給することが難しかった。
この発明は、葉菜類等を一年を通して安定的に供給するとともに葉菜類等の育成を助長することができる連続栽培方法及び連続栽培装置を提供することを目的としている。
【課題を解決するための手段】
【０００４】
後記実施形態の図面（図１〜３）の符号を援用して本発明を説明する。
請求項１の発明にかかる連続栽培方法においては、栽培台４上に植付け時期の異なる複数の栽培パレット群Ｐ１〜Ｐ１１を栽培台４の供給口４ａ側から取出口４ｂ側にわたり植付け時期の新しいものから古いものの順に並べ、この各栽培パレット群Ｐ１〜Ｐ１１を栽培台４の供給口４ａ側から取出口４ｂ側へ所定期間ごとに移動させ、栽培台４の取出口４ｂから最古植付け時期の栽培パレット群を取り出すとともに、栽培台４の供給口４ａに最新植付け時期の栽培パレット群を供給する。
【０００５】
請求項１の発明では、植付け時期の異なる栽培パレット群を植付け時期の古いものから順次連続的に取り出して葉菜類等を効率的に生産することができる。
請求項１の発明を前提とする請求項２の発明においては、前記各栽培パレット群Ｐ１〜Ｐ１１を栽培台４の供給口４ａ側から取出口４ｂ側へ移動させる際に、この栽培台４の下側に設けた熱伝導室６で各栽培パレット８に対し熱伝導パイプ１０により遠赤外線と超音波とを放射する。
【０００６】
請求項２の発明を前提とする請求項３の発明において、前記遠赤外線は波長６〜１４μｍの育成光線である。
請求項２〜３の発明では、熱伝導室６で栽培パレット８に遠赤外線特に波長６〜１４μｍの育成光線と超音波とを放射するので、栽培パレット８に植え付けられた葉菜類等や栽培パレット８の堆肥を活性化することができる。従って、その葉菜類等の育成を助長することができる。
【０００７】
請求項１の発明を前提とする請求項４の発明においては、前記各栽培パレット群Ｐ１〜Ｐ１１を栽培台４の供給口４ａ側から取出口４ｂ側へ移動させる際に、この栽培台４の下側に設けた熱伝導室６で各栽培パレット８に対し熱伝導パイプ１０により加熱放射または冷却放射する。
【０００８】
請求項４の発明では、熱伝導室６で各栽培パレット８に加熱放射または冷却放射するので、熱伝導室６を最適な温度環境にして、栽培パレット８に植え付けられた葉菜類等の育成を助長することができる。
【０００９】
請求項５の発明にかかる連続栽培装置においては、複数の栽培パレット群Ｐ１〜Ｐ１１を載置して供給口４ａ側から取出口４ｂ側に移動させることができる栽培台４を栽培ハウス１内に備え、この栽培台４の下側には熱伝導室６で各栽培パレット８に遠赤外線特に波長６〜１４μｍの育成光線と超音波とを放射することができる複数の熱伝導パイプ１０を配設した。
【００１０】
請求項５の発明では、植付け時期の異なる栽培パレット群を植付け時期の古いものから順次連続的に取り出して葉菜類等を効率的に生産する連続栽培方法に適している。また、熱伝導室６で熱伝導パイプ１０から栽培パレット８に遠赤外線特に波長６〜１４μｍの育成光線と超音波とを放射するので、栽培パレット８に植え付けられた葉菜類等や栽培パレット８の堆肥を活性化することができる。従って、その葉菜類等の育成を助長することができる。
【００１１】
請求項６の発明にかかる連続栽培装置においては、複数の栽培パレット群Ｐ１〜Ｐ１１を載置して供給口４ａ側から取出口４ｂ側に移動させることができる栽培台４を栽培ハウス１内に備え、この栽培台４の下側には熱伝導室６で各栽培パレット８に加熱放射または冷却放射することができる複数の熱伝導パイプ１０を配設した。
【００１２】
請求項６の発明では、植付け時期の異なる栽培パレット群を植付け時期の古いものから順次連続的に取り出して葉菜類等を効率的に生産する連続栽培方法に適している。また、熱伝導室６で熱伝導パイプ１０から各栽培パレット８に加熱放射または冷却放射するので、熱伝導室６を最適な温度環境にして、栽培パレット８に植え付けられた葉菜類等の育成を助長することができる。
【００１３】
請求項５または請求項６の発明を前提とする請求項７の発明において、前記各熱伝導パイプ１０は、真空に保たれた状態で作動液を封入したメインパイプ１１内に、熱が供給されるコアパイプ１２を挿通したものである。
【００１４】
請求項７の発明では、コアパイプ１２に熱を供給するだけで、熱伝導パイプ１０と熱伝導室６との間の熱交換作用により、熱伝導室６に加熱放射または冷却放射することができる。また、コアパイプ１２に熱を供給するだけで、メインパイプ１１から熱伝導室６に遠赤外線特に波長６〜１４μｍの育成光線と超音波とを放射することができる。
【発明の効果】
【００１５】
本発明にかかる連続栽培方法及び連続栽培装置は、葉菜類等を一年を通して安定的に供給するとともに葉菜類等の育成を助長することができる。
【発明を実施するための最良の形態】
【００１６】
まず、本発明の一実施形態にかかる連続栽培装置について図面を参照して説明する。
図１（ａ）及び図２に示すように、栽培ハウス１内には管材３を縦横に組んだ枠体２が設置され、この枠体２で上下方向Ｚの中間部には栽培台４が設けられているとともに、この栽培台４の下側には枠体２の外周に巻かれた遮光シート５により囲まれた熱伝導室６が設けられている。この栽培台４においては、前後方向Ｘへ延びる複数のレール７が左右方向Ｙへ互いに間隔をあけて並設されている。この各レール７には多数の栽培パレット８がこの熱伝導室６に連通するように載せられて前後方向Ｘ及び左右方向Ｙへ並べられている。作業者は、この各栽培パレット８を押して各レール７ごとに前後方向Ｘへ栽培台４の供給口４ａ側から取出口４ｂ側に移動させることができる。この栽培台４の上方で枠体２上には有機液体肥料などを各栽培パレット８上に噴霧することができる噴霧走行台９が前後方向Ｘへ往復移動可能に支持されている。前記熱伝導室６においては、前後方向Ｘへ延びる複数の熱伝導パイプ１０が左右方向Ｙへ並べて配設されている。この熱伝導パイプ１０においては、図１（ｂ）に示すように、真空に保たれた状態で作動液Ｌが封入されたメインパイプ１１内に、熱が供給されるコアパイプ１２が挿通されている。ちなみに、各栽培パレット８では、例えば、図示しない葉菜類が安全な特殊養土と有機液体肥料とを使用した完全無農薬有機栽培により生産される。
【００１７】
さて、図３（ａ）で概略的に示す植付け状態では、栽培台４上に並べられた各栽培パレット８のうち、前後方向Ｘで互いに区分された複数の栽培パレット群Ｐ１〜Ｐ１０は、植付け時期が異なり、栽培台４の供給口４ａ側から取出口４ｂ側にわたり植付け時期の新しいものから古いものの順に並べられている。作業者が各栽培パレット群Ｐ１〜Ｐ１０を栽培台４の供給口４ａ側から取出口４ｂ側へ所定期間（例えば、葉菜類の育成日数を複数区分し、その一区分の日数）ごとに移動させると、図３（ｂ）で概略的に示すように、最古植付け時期の栽培パレット群Ｐ１が栽培台４の取出口４ｂから取り出され、後続の栽培パレット群Ｐ２が最古植付け時期のものとして栽培台４の取出口４ｂに移動するとともに、栽培台４の供給口４ａが空となる。その後、図３（ｃ）で概略的に示すように、栽培台４の供給口４ａに最新植付け時期の栽培パレット群Ｐ１１を供給する。このようにして栽培パレット群を連続的に取り出して完全無農薬有機栽培された葉菜類を効率的に生産することができる。
【００１８】
その完全無農薬有機栽培時、図１（ａ）（ｂ）に示す熱伝導室６の各熱伝導パイプ１０において、コアパイプ１２に熱を供給すると、熱伝導パイプ１０と熱伝導室６との間の熱交換作用により、熱伝導室６に加熱放射または冷却放射することができる。また、そのコアパイプ１２に熱を供給すると、その熱がコアパイプ１２からメインパイプ１１内の作動液Ｌに伝わり、真空状態のメインパイプ１１内で作動液Ｌの沸点が下がるため、低温域から作動液Ｌが沸騰し、液界面からジェットＪ（蒸気流）が発生する。そのジェットＪ（蒸気流）は、コアパイプ１２からの潜熱を含むため、メインパイプ１１の外壁に向かい音速に近い速さで熱輸送を行う。その潜熱はメインパイプ１１の外壁を介して熱伝導室６との間で熱交換されて熱伝導室６に放出され、作動液Ｌが凝縮する。この蒸発と凝縮とのサイクルは、コアパイプ１２に対する熱供給中、連続して行われる。ジェットＪ（蒸気流）の動きは、メインパイプ１１に対する衝突時に衝撃エネルギーとなってメインパイプ１１を振動させる。従って、メインパイプ１１からは熱とともに遠赤外線特に波長６〜１４μｍの育成光線と超音波とを放射する。
【００１９】
本実施形態は下記の効果を有する。
＊  栽培台４の供給口４ａ側から取出口４ｂ側にわたり植付け時期の新しいものから古いものの順に並べた各栽培パレット群Ｐ１〜Ｐ１１をその供給口４ａ側から取出口４ｂ側へ所定期間ごとに移動させて植付け時期の古いものから順次連続的に取り出すので、葉菜類等を効率的に生産することができる。
【００２０】
＊  熱伝導室６で熱伝導パイプ１０から栽培パレット８に遠赤外線特に波長６〜１４μｍの育成光線と超音波とを放射するので、共鳴吸収現象により分子間の運動エネルギーが増大して摩擦熱が生じる。そのため、栽培パレット８に植え付けられた葉菜類等においては、細胞の働きを活性化して炭酸同化作用を促進することができる。また、栽培パレット８の堆肥においては、発酵温度調節を簡単にするとともに発酵をむらなく均等に行い、バクテリアを活性化して堆肥化を促進することができる。従って、栽培パレット８に植え付けられた葉菜類等の育成を助長することができる。
【００２１】
＊  熱伝導パイプ１０により熱伝導室６に加熱放射または冷却放射するので、熱伝導室６の温度をむらなく均等に温度管理して、最適な温度環境により、栽培パレット８に植え付けられた葉菜類等の育成を助長することができる。
【００２２】
＊  熱伝導パイプ１０は、遠赤外線特に波長６〜１４μｍの育成光線と超音波とを放射する手段として適している。
前記実施形態以外にも例えば下記のように構成してもよい。
【００２３】
・  前記連続栽培装置の熱伝導室６において、熱伝導パイプ１０に代えて一般的な空調による温度管理を行う。
・  前記連続栽培装置において、熱伝導室６及び熱伝導パイプ１０を省略して栽培ハウス１内で一般的な空調による温度管理を行う。
【００２４】
・  前記実施形態では作業者が各栽培パレット８を押して栽培台４の供給口４ａ側から取出口４ｂ側に移動させていたが、それを自動的に移動させる。
・  前記実施形態では作業者が各栽培パレット８を栽培台４の供給口４ａに供給するととともに栽培台４の取出口４ｂから取り出していたが、その供給及び取出しを自動的に行う。
【図面の簡単な説明】
【００２５】
【図１】（ａ）は本実施形態にかかる連続栽培装置を側面側から見た断面図であり、（ｂ）は（ａ）の熱伝導パイプを示す一部切欠き側面図である。
【図２】本実施形態にかかる連続栽培装置を正面側から見た断面図である。
【図３】（ａ）（ｂ）（ｃ）は本実施形態にかかる連続栽培方法を説明するための平面図である。
【符号の説明】
【００２６】
１…栽培ハウス、４…栽培台、４ａ…栽培台の供給口、４ｂ…栽培台の取出口、６…熱伝導室、８…栽培パレット、１０…熱伝導パイプ、１１…メインパイプ、１２…コアパイプ、Ｐ１〜Ｐ１１…栽培パレット群、Ｌ…作動液。
【図１】
2008253224.tif 000003
【図２】
2008253224.tif 000004
【図３】
2008253224.tif 000005